(57)【特許請求の範囲】
【請求項１】
ディジタル画像信号が入力される入力手段と、
該入力手段に入力された前記ディジタル画像信号からマーカー信号を抽出するマーカー信号抽出手段と、
前記入力手段に入力された前記ディジタル画像信号の周囲画素に対する極大値を抽出する極大値抽出手段と、
前記マーカー信号抽出手段で抽出されたマーカー信号と前記極大値抽出手段で抽出された極大値の情報からマーカー信号の抽出条件を変化させる抽出条件変化手段と、
該抽出条件変化手段により得られたマーカー信号により、前記入力手段に入力された前記ディジタル画像信号が加工される加工手段とを有することを特徴とする画像加工装置。
【請求項２】
少なくとも２色のディジタル画像信号が入力される入力手段と、
該入力手段に入力された前記ディジタル画像信号からマーカー信号を抽出するマーカー信号抽出手段と、
前記入力手段に入力された前記ディジタル画像信号の周囲画素に対する極大値を抽出する極大値抽出手段と、
前記マーカー信号抽出手段で抽出されたマーカー信号と前記極大値抽出手段で抽出された極大値の情報からマーカー信号の抽出条件を変化させる抽出条件変化手段と、
該抽出条件変化手段により得られたマーカー信号により、前記入力手段に入力された前記ディジタル画像信号が加工される加工手段とを有することを特徴とする画像加工装置。
【発明の詳細な説明】
【０００１】
【発明の属する技術分野】
本発明は、画像加工装置、特にディジタル複写機の画像加工装置に関する。
【０００２】
【従来の技術】
従来、マーカーペン指定による画像加工処理機能は、ディジタル複写機の一般的な機能として位置づけされ、標準装備されていることが多い。１色現像のディジタル複写機では、マーカー信号を濃度情報だけで抽出する方式であり、マーカー信号を中間調信号として読み取られるため、高コントラストの文字信号とマーカー信号とは区別ができるものの、図９に示されているように低コントラストの文字等の場合には文字信号とマーカー信号との区別ができないため、マーカーの誤検出が発生していた。
【０００３】
また、２色現像のディジタル複写機の場合、マーカーは色信号として読み取られるが、図１０に示されているように操作者により指定されたマーカー色と同色の文字等が存在する場合には、マーカー信号と文字信号との区別ができないため、マーカーの誤検出が発生していた。
【０００４】
【発明が解決しようとする課題】
本発明は、従来の欠点を解消し、マーカー信号と文字信号との区別を正確に行うことができ、操作者の所望するマーカー加工を行うことができる画像加工装置を提供することを目的とする。
【０００５】
【課題を解決するための手段】
本発明の画像加工装置は、ディジタル画像信号が入力される入力手段と、入力手段に入力されたディジタル画像信号からマーカー信号を抽出するマーカー信号抽出手段と、入力手段に入力されたディジタル画像信号の周囲画素に対する極大値を抽出する極大値抽出手段と、マーカー信号抽出手段で抽出されたマーカー信号と極大値抽出手段で抽出された極大値の情報からマーカー信号の抽出条件を変化させる抽出条件変化手段と、抽出条件変化手段により得られたマーカー信号により、入力手段に入力されたディジタル画像信号が加工される加工手段とを有する。
【０００６】
また、本発明の画像加工装置は、少なくとも２色のディジタル画像信号が入力される入力手段と、入力手段に入力されたディジタル画像信号からマーカー信号を抽出するマーカー信号抽出手段と、入力手段に入力されたディジタル画像信号の周囲画素に対する極大値を抽出する極大値抽出手段と、マーカー信号抽出手段で抽出されたマーカー信号と極大値抽出手段で抽出された極大値の情報からマーカー信号の抽出条件を変化させる抽出条件変化手段と、抽出条件変化手段により得られたマーカー信号により、入力手段に入力されたディジタル画像信号が加工される加工手段とを有する。
【０００７】
【発明の実施の形態】
図１には、本発明による画像加工装置の一実施形態の構成図が示されている。本実施例の画像加工装置は、主に入力手段としてのディジタル画像入力部１０、マーカー信号抽出手段としてのマーカー抽出部１２、極大値抽出手段としての極大値抽出部１４、抽出条件変化手段としてのマーカー抽出条件変化部１６、および加工手段としてのマーカー加工部１８から構成されている。
【０００８】
ディジタル画像入力部１０は、例えばディジタル８ビット画像信号が入力され、入力された画像信号をマーカー抽出部１２、極大値抽出部１４、およびマーカー加工部１８にそれぞれ送出する。
【０００９】
マーカー抽出部１２は、図２に示されているように高濃度側評価部２０、低濃度側評価部２２、およびマーカー信号抽出部２４から構成されている。マーカー抽出部１２に入力されたディジタル画像信号は、図３に示されているように高濃度部と低濃度部が認識され、またマーカー信号抽出部２４において信号の連続性が評価され、マーカー信号が抽出される。抽出されたマーカー信号は、マーカー抽出条件変化部１６に送出される。
【００１０】
極大値抽出部１４は、図４に示されている周辺画素参照部４２および極大値評価部４４から構成され、マーカー抽出部１２に入力されたディジタル画像信号の内、図５に示されているように、注目画素がいずれかの方向性をもって極大値を有する場合、その画素を極大値として評価する。
【００１１】
マーカー抽出条件変化部１６は、図６に示されている極大値連続性評価部６２およびマーカー認識制御部６４から構成され、極大値連続性評価部６２は、極大値抽出部１４で得られた極大情報の連続性を評価する。例えば、極大値がいずれかの方向に１０画素以上連続している場合を文字情報と評価する。マーカー認識制御部６４は、極大値連続性評価部６２からの極大値連続性が文字情報と判断された場合、マーカー信号としての抽出を行わない。
【００１２】
マーカー加工部１８は、ディジタル画像入力部１０から入力されたディジタル画像信号に対して、例えばマーカー内消去を行う。
【００１３】
ここで、本実施例の画像加工装置の動作を簡単に説明する。まず、ディジタル画像入力部１０に入力されたディジタル画像信号は、マーカー抽出部１２においてマーカー信号が検出され、また極大値抽出部１４でディジタル画像信号の極大値が抽出される。さらに、マーカー抽出条件変化部１６において、抽出された極大値の周囲に対する連続性が評価され、極大値が連続性を有する場合にはマーカー信号として抽出されず、処理後のマーカーについてマーカー加工が行われる。
【００１４】
図７には、本発明による画像加工装置の他の実施形態の構成図が示されている。
この実施例は、２色現像のディジタル複写機の画像加工装置の例で、主にディジタル画像入力部７２、マーカー抽出部７４、極大値抽出部７６、マーカー抽出条件変化部７８、およびマーカー加工部８０から構成されている。
【００１５】
ディジタル画像入力部７２は、例えばディジタル８ビット画像信号および画像信号に対応する１ビット色信号が入力され、入力された画像信号をマーカー抽出部７４およびマーカー加工部８０にそれぞれ送出する。
【００１６】
マーカー抽出部７４は、図８に示されているように、複数のフリップ・フロップ回路（ＦＦ）８２、および先入れ先出し記憶回路（ＦＩＦＯ）８４から構成され、ＦＦおよびＦＩＦＯにより遅延された色信号について判断し、色信号の全てが色（マーカー色）の場合にマーカー信号として抽出され、抽出されたマーカー信号は極大値抽出部７６に送出される。
【００１７】
極大値抽出部７６は、図４に示されているように、周辺画素参照部４２および極大値評価部４４から構成され、マーカー抽出部７４に入力されたディジタル画像信号の内、図５に示されているように、注目画素がいずれかの方向性をもって極大値を有する場合、その画素を極大値として評価する。
【００１８】
マーカー抽出条件変化部７８は、図６に示されている極大値連続性評価部６２およびマーカー認識制御部６４から構成され、極大値連続性評価部６２は、極大値抽出部１４で得られた極大情報の連続性を評価する。例えば、極大値がいずれかの方向に１０画素以上連続している場合を文字情報と評価する。マーカー認識制御部６４は、極大値連続性評価部６２からの極大値連続性が文字情報と判断された場合、マーカー信号としての抽出を行わない。
【００１９】
マーカー加工部８０は、ディジタル画像入力部７２から入力されたディジタル画像信号に対して、例えばマーカー内消去を行う。
【００２０】
ここで、本実施例の画像加工装置の動作を簡単に説明する。まず、ディジタル画像入力部７２に入力された８ビットディジタル画像信号および１ビット色信号は、マーカー抽出部７４において色信号の連続性からマーカー信号が検出され、極大値抽出部７６でディジタル画像信号の極大値が抽出され、さらに、マーカー抽出条件変化部７８において、抽出された極大値の周囲に対する連続性が評価され、極大値が連続性を有する場合にはマーカー信号として抽出されず、処理後のマーカーについてマーカー加工が行われる。
【００２１】
なお、本実施例では、本発明の画像加工装置をディジタル複写機に利用した例を示したが、ディジタル複写機以外の例えばリアルタイム画像加工装置等他の装置にも応用することが可能である。
【００２２】
【発明の効果】
以上の説明より明かなように、本発明の画像加工装置によれば、文字画像信号等の極大値の連続性に基づいて最適なマーカー検出を行うため、低コントラストの文字が混在する原稿に対してもマーカー誤検出がなく、マーカー加工を行うことができる。
【００２３】
また、２色現像のディジタル複写機においても、文字画像信号等の極大値の連続性に基づいて最適なマーカー検出を行うため、操作者によるマーカー指定色と同一の色文字とが混在する原稿に対してもマーカー誤検出がなく、マーカー加工を行うことができる。
【図面の簡単な説明】
【図１】本発明の画像加工装置の一実施例を示す構成図である。
【図２】図１の実施例のマーカー抽出部１２の構成図である。
【図３】図１の実施例のマーカー抽出部１２のマーカー抽出動作を説明する信号波形図である。
【図４】図１および図７の実施例の極大値抽出部１４および７６の構成図である。
【図５】図１および図７の実施例の極大値抽出部１４および７６の動作を説明する図である。
【図６】図１および図７の実施例のマーカー抽出条件変化部１６および７８の構成図である。
【図７】本発明の画像加工装置の他の実施例を示す構成図である。
【図８】図７の実施例のマーカー抽出部７４の構成図である。
【図９】従来の画像加工装置のマーカー検出動作を説明する信号波形図である。
【図１０】従来の画像加工装置のマーカー検出動作の他の例を説明する信号波形図である。
【符号の説明】
１０、７２    ディジタル画像入力部
１２、７４    マーカー抽出部
１４、７６    極大値抽出部
１６、７８    マーカー抽出条件変化部
１８、８０    マーカー加工部
２０          高濃度側評価部
２２          低濃度側評価部
２４          マーカー信号抽出部
４２          周辺画素参照部
４４          極大値評価部
６２          極大値連続性評価部
６４          マーカー認識制御部
８２          フリップ・フロップ回路（ＦＦ）
８４          先入れ先出し記憶回路（ＦＩＦＯ）
【図１】
0003590831.tif 000002
【図２】
0003590831.tif 000003
【図３】
0003590831.tif 000004
【図４】
0003590831.tif 000005
【図５】
0003590831.tif 000006
【図６】
0003590831.tif 000007
【図７】
0003590831.tif 000008
【図８】
0003590831.tif 000009
【図９】
0003590831.tif 000010
【図１０】
0003590831.tif 000011